(57)【要約】      （修正有）【課題】通常の蛍光灯とは異なるソケットを用いてＬＥＤ蛍光灯の取り付けが極めて容易になされる作業性のよい装置を提供する。【解決手段】ＬＥＤ蛍光灯において、一方のソケットは不動であるが他方のソケットは一定範囲を回動する蝶番に形成する。蝶番ソケットの可動部に端子と合致する係合孔を形成し、片方の端子にＡＣ電源を接続する。【選択図】図１
0003154843.tif 000002
【実用新案登録請求の範囲】
【請求項１】
放熱板を取り付けた直管型本体内に、多数のＬＥＤを列設したプリント基板を配置し、直管型本体の両側に取り付けた口金に夫々二本の端子を突設し、両側の端子が電源取付具のソケットに係合するＬＥＤ蛍光灯において、一方のソケットは不動状であるが他方のソケットは一定範囲を回動する蝶番状であり、蝶番状ソケットの可動部に片側端子と合致する係合孔が形成され、しかして片方の端子にＡ．Ｃ．電源を連結することを特徴とするＬＥＤ蛍光灯の取り付け装置。
【請求項２】
Ａ．Ｃ．電源が不動状ソケットに配置されるものであることを特徴とする請求項１記載のＬＥＤ蛍光灯の取り付け装置。
【請求項３】
口金が直管型本体と回動自在に取り付けられて直管型本体の照射方向を任意の向きに設定できることを特徴とする請求項１又は２記載のＬＥＤ蛍光灯の取り付け装置。
【考案の詳細な説明】
【技術分野】
【０００１】  本考案は、取り付け作業が容易なＬＥＤ蛍光灯の取り付け装置に関する。
【背景技術】
【０００２】  従来の白色蛍光灯は白熱電球やハロゲン電球よりも電力を光りに変換するのに効率的で自然な色合いを有し且つそれらよりも長期間使用できる点で広く利用されているが、経年寿命が尽きる頃には輝度が低下したり黒ずむだけでなくちらつき現象を起こす不具合もある。このような従来の蛍光灯に替わってＬＥＤ（発光ダイオード）を内蔵した蛍光灯型の照明器具（以下「ＬＥＤ蛍光灯」と呼ぶ）が提案されるようになってきている。ＬＥＤを利用したものは従来型の蛍光灯に比べて長寿命であり、ちらつきや球切れなどの不測の事態が回避されるなどの信頼性が高いというメリットがある。ＬＥＤ蛍光灯であっても取付部のソケットは既設のものを利用するものが多く、それゆえ従来品は構造的互換性を持たせることに腐心したものが殆どである（例えば特許文献１〜４参照）。
【先行技術文献】
【特許文献】
【０００３】
【特許文献１】特開２００７−１２３２２号公報
【特許文献２】特開２００１−３５１４０２号公報
【特許文献３】登録実用新案第３１４７６０８号公報
【特許文献４】登録実用新案第３１３９７１４号公報
【考案の概要】
【考案が解決しようとする課題】
【０００４】  従来技術では既存の蛍光灯設備（ソケット）を使用できる利点はあるが、蛍光灯をソケットに取り付けるときの作業性の悪さもそのまゝ引き継がなければならない。すなわち蛍光灯の両端に突出している端子はソケットと係合することにより通電して蛍光灯が点灯するものであり、取り付ける際には片方の端子を片側のソケットに係合し、次いで他方の端子を他側のソケットに係合して蛍光灯を掛架する。夫々のソケットには弾性が付与されており、片側のソケットに端子を係合することは比較的簡単であるが、他側のソケットに他方の端子を係合するには先に係合した片方の端子を片側のソケットに更に力を加えて押し込むようにしなければならない。端子には所定の長さがあり、両側ソケットの間隔もあらかじめ決められているため蛍光灯を取り付けるときの作業に難渋することは誰もが経験するところである。このことは案内溝を形成してあるソケットについても云えることである。ソケットに、端子の係合孔と通じる案内溝を設けたものは、まず案内溝に端子をあてがい本体を回転して係合孔に端子を固定する方法をとる。このとき案内溝に入れた端子が係合孔にスムースに導入できればよいが、他方の端子を他側のソケットに入れるにはそれなりの注意が必要で、やゝもすると先に入れた端子が係合孔若しくは案内溝から脱出してしまうなどの不具合があってこの場合も簡単には取り付けができないという問題点がある。【０００５】  本考案はこのような従来技術とは異なる新規構造の取り付け装置を提供するものであり、その目的とするところは、通常の蛍光灯とは異なるソケットを用いてＬＥＤ蛍光灯の取り付けが極めて容易になされるところの作業性のよい装置に関わる創案である。
【課題を解決するための手段】
【０００６】  すなわち本考案は、放熱板を取り付けた直管型本体内に、多数のＬＥＤを列設したプリント基板を配置し、直管型本体の両側に取り付けた口金に夫々二本の端子を突設し、両側の端子が電源取付具のソケットに係合するＬＥＤ蛍光灯において、一方のソケットは不動状であるが他方のソケットは一定範囲を回動する蝶番状であり、蝶番状ソケットの可動部に片側端子と合致する係合孔が形成され、しかして片方の端子にＡ．Ｃ．電源を連結することを主旨としている。【０００７】  Ａ．Ｃ．電源が不動状ソケットに配置されるものであることを特徴とする。【０００８】  口金が直管型本体と回動自在に取り付けられて直管型本体の照射方向を任意の向きに設定できることを特徴とする。
【考案の効果】
【０００９】  ＬＥＤ蛍光灯は基板の片面に点灯回路を備えてあり、直管型本体にＤ．Ｃ．電源・安定器などが配置されているためＡ．Ｃ．電源をそのまゝソケットを通して一方の端子に接続すれば点灯が可能となる。この点に着目して本考案は片方の端子と係合するソケットにはＡ．Ｃ．電源を配置して従来通りの通電がなされるようにしてあるが、他方の端子と係合するソケットにはそれを不要として装置を単純化するとともに、片方のソケットは一定範囲を回動できるようにして蛍光灯の取り付けを容易とした。直管型本体の取り付けにあたっては先ず不動状ソケットの係合孔に片方の端子を係合するが、他方の蝶番状ソケットは可動部をあたかもドア蝶番のように開いた状態とすることができるため可動部の係合孔を相対する無支持端子に合わせて係合でき、従来のようにソケットの一方を押し込むような面倒な手間をかけずに蛍光灯の取り付けができる。また案内溝を形成する従来型と異なり、直管型本体を回動するような労力も不要で作業をワンタッチ式に確実迅速に行うことができる。従来、天井に設けた蛍光灯の取り付けには手こずることも多かったが、本案によれば例えば刺股状の道具を用いることで作業できるなどのメリットもある。【００１０】  端子を突設してある口金を直管型本体と回動可能にすると、本体の向きを変えることができ、このため点灯時に照射方向を任意の方向とすることができる。ＬＥＤ蛍光灯には本体に放熱板が取り付けられているためその分照射範囲が限定されるのは否めず、蛍光灯の設置位置によっては照射が必要とされる個所が暗くなる不具合もあり、このため本体からの照射を必要個所に向けることでその懸念が一掃される。
【図面の簡単な説明】
【００１１】
【図１】ＬＥＤ蛍光灯を取り付けた装置の説明図である。
【図２】ＬＥＤ蛍光灯の取り付け方法を示す説明図である。
【図３】ＬＥＤ蛍光灯の説明図である。
【図４】直管型本体の端部を示す説明図である。
【考案を実施するための形態】
【００１２】  考案を実施するための形態につき図面を参照して説明すると、図１において１はＬＥＤ蛍光灯で、直管型本体２の上部に、アルミニウム・マグネシウム合金などの熱伝導性のよい金属材料からなる不透光性の放熱板３を取り付けてあり、従来の白色蛍光灯と同等長さを有し下方に向け光りを照射するが、放熱板３が位置する部位からは当然ながら光りは放射されない。
【００１３】  直管型本体２の左右には口金４・５が取り付けられ、各口金４・５には夫々二本の端子６・７が突設してあり全体形状は既存のＬＥＤ蛍光灯と大差はない。そしてこの端子６・７が天井の電源取付具１０に連なるソケット１１・１２に係合し、ＬＥＤ蛍光灯１が掛架される。
【００１４】  一方のソケット１１は在来型のものと同様不動状であるが、他方のソケット１２は一定範囲を回動する蝶番状となっている。蝶番状ソケット１２は固定部１３と可動部１４で構成され、可動部１４は固定部１３との結合部１５を支点として図２のように一定範囲を回動でき、垂直方向となったときに端子７が可動部１４に形成した係合孔１４ａと係合合致する。従ってＬＥＤ蛍光灯１の取り付けにあたっては、先ず片側（左側）の端子６を固定状のソケット１１の係合孔１１ａに係合し、次いで他側（右側）の端子７を蝶番状のソケット１２の可動部１４の係合孔１４ａに取り付ける。係合孔１４ａに係合する前の端子７はいわば無支持の状態にあり、可動部１４を回動させて垂直状とすることで係合孔１４ａに合致させることができるので従来のように端子をソケットに無理に押し込むといった労力を要することがなく、ソケット１２への取り付けが頗る簡単な操作で完了する。
【００１５】  図３のようにＬＥＤ蛍光灯１内には多数のＬＥＤ８を列設したプリント基板９が配置され、ＬＥＤ８が点灯することで光りが直管型本体１から外方へ照射されるものであり、直管型本体１には点灯回路があり、Ｄ．Ｃ．電源、安定器などが組み込まれているが、これらは一般的なものであるので詳細は省略する。白色蛍光灯では天井側の電源取付具に上記の部品が組み込まれているため左右のソケットには端子が通電する回路設定が必要であるが、ＬＥＤを用いた蛍光灯では上記の構成となるので片側の端子にＡ．Ｃ．電源を直結させれば点灯でき、電源取付具自体が複雑な仕組みを必要としないなどの効果も所期される。なお蝶番状ソケット１２は固定部１３と可動部１４に分かれるためＡ．Ｃ．電源は不動状のソケット１１から端子６に直結することが好ましい。
【００１６】  直管型本体２と一体の放熱板３が存在することでこの部分からは光りが外部へ照射されることはない。通常の白色蛍光灯は全体がガラス製であるため点灯すると光りは３６０度の放射角度を持つが、放熱板３によって遮られたＬＥＤ蛍光灯１は照射を必要とする個所が暗くなる懸念がある。そこで本考案では図４のように口金４・５を直管型本体２と回動自在に取り付けることによって本体２の向きを変えられるようにした。こうすることで放熱板３の位置が固定されず、必要な個所に光りを照射することができる。
【符号の説明】
【００１７】  １  ＬＥＤ蛍光灯    ２  直管型本体    ３  放熱板    ４・５  口金
６・７  端子    ８  ＬＥＤ    ９  プリント基板    １０  電源取付具
１１  不動状のソケット    １１ａ  係合孔    １２  蝶番状ソケット
１３  固定部    １４  可動部    １４ａ  係合孔
【図１】
0003154843.tif 000003
【図２】
0003154843.tif 000004
【図３】
0003154843.tif 000005
【図４】
0003154843.tif 000006